(57)【要約】【課題】  インモールドラベルにおいて、基材フィルムへの印刷層を形成する工程と、基材フィルムへの接着層を積層する工程とを短時間かつ一貫ラインで実施可能で、小ロットでも低単価で実施可能な層構成を創出することを技術的課題とするものであり、貼着する合成樹脂成形品や使用目的に応じて基材フィルム、接着層の材質、厚さ、特性等を適宜選択でき、最適な合成樹脂製成形品用のインモールドラベルを供給することを目的とする。【解決手段】  インモールド成形により合成樹脂成形品の成形と同時に成形品の表面に貼付されるラベルにおいて、基材フィルムの一方の面にフレキソ印刷で印刷層を形成し、さらに該印刷層の形成された基材フィルムの裏面側に、ラベルの被貼着体である合成樹脂成形品に熱溶着可能な合成樹脂をフレキソ印刷で被覆して接着層とする。【選択図】図１
2011095517.tif 000002
【特許請求の範囲】
【請求項１】
インモールド成形により合成樹脂成形品の成形と同時に成形品の表面に貼付されるラベルであって、基材フィルム(12)の一方の面にフレキソ印刷法により印刷層(13)を形成し、さらに基材フィルム(13)の裏面側に、ラベルの被貼着体である合成樹脂成形品に熱溶着可能な合成樹脂をフレキソ印刷法により被覆して接着層(15)としたことを特徴とするインモールドラベル。
【請求項２】
透明性を有する基材フィルム(12)の裏面側に印刷層(13)を形成し、さらに該印刷層(13)の形成された基材フィルム(13)の裏面側に、ラベルの被貼着体である合成樹脂成形品に熱溶着可能な合成樹脂をフレキソ印刷法により被覆して接着層(15)としたことを特徴とする請求項１記載のインモールドラベル。
【請求項３】
接着層（15）をエンボスパターンで形成したことを特徴とする請求項１または２記載のインモールドラベル。
【発明の詳細な説明】
【技術分野】
【０００１】
本発明は金型内にインモールド材として使用され、合成樹脂成形品の成形と同時に成形品の表面に貼着されるインモールドラベルに関する。
【背景技術】
【０００２】
合成樹脂製ブロー成形容器等の合成樹脂成形品の表面に、加飾とか商品名や説明文の表示を達成する手段として、装飾模様とか商品名、説明文を印刷表示したラベルを貼着する手段が多用されている。
そして、ラベルを貼着する方法の一つとして、インモールド材として、所謂、インモールドラベルを予め金型内にセットし、成形品の成形と同時にこの成形品の表面にインモールドで貼着するインモールド成形法がある。
【０００３】
このインモールド成形法は、成形品の成形と同時にラベルの貼着が達成され、専用の別工程の貼着作業を必要としないこと、成形品の表面とインモールドラベルとの間に段差が生じないので、この段差による成形品の外観体裁や触感の劣化の恐れが全くないこと、そして例えば、ブロー成形容器における薄肉化に関わり無く、容器本体に対するインモールドラベルの強固で安定した貼着を確実に得ることができること、と云う優れた作用効果を有する。
例えば、特許文献１には、インモールドラベル及びインモールドラベル二軸延伸ブロー成形品及びその製造方法に関する発明が記載されている。
【０００４】
図３は、従来から一般的に使用されているインモールドラベルの層構成の一例を示す縦断面図である。
このラベル１１１は、合成紙からなる不透明な基材フィルム１１２の表面にフレキソ印刷により印刷層１１３を形成し、この印刷層１１３を静電気の帯電を防止するための帯電防止剤を含有したニスコートによる保護層１１８で被覆しており、また裏面にはインモールド成形により合成樹脂成形品の表面に接着固定するヒートシール層１２１を積層している。インモールド成形中にパリソンとラベルの間の空気を逃がし、逃がし切れなかった空気を閉じ込めるためにヒートシール層１２１には層形成後にエンボス加工が施されている。
【０００５】
また、図４は従来から一般的に使用されているインモールドラベルの他の層構成の例を示す断面図である。
このラベル１１１は、ポリプロピレン（ＰＰ）樹脂製のキャストフィルム（ＣＰＰフィルム）からなる透明な基材フィルム１１２の裏面にグラビア印刷による印刷層１１３、ドライラミネート層１２０、そしてインモールド成形により合成樹脂成形品の表面に接着固定するエンボス加工した共重合系ポリプロピレン樹脂製フィルムからなる接着層１１５を積層している。
なお、基材フィルム１１２の表面には、静電気によるラベル間の密着を防ぎ、インモールド成形におけるラベルの金型内へのセットをスムーズに実施するため、また、ラベル表面への埃付き防止のため、静電気の帯電を抑制する目的で帯電防止剤層１１９を塗布するようにしている。
【先行技術文献】
【特許文献】
【０００６】
【特許文献１】特開２００４−１３６４８６
【発明の概要】
【発明が解決しようとする課題】
【０００７】
ここで、図３に示したようなインモールドラベルは通常、ラベルメーカーが、原紙メーカーから基材フィルム１１２に接着層となるヒートシール層１２１を積層した原紙を購入し、ラベルメーカーで表面側に印刷層１１３、ニスコートによる保護層１１８を形成した後に最終的には所定のラベル形状に打抜き加工を行うのが一般的であるが、この層構成では予め基材フィルムが決められているので、基材フィルム１１２の材質、厚さ、特性等を貼着する合成樹脂成形品や使用目的に合わせて細かく選択することは困難である。また基材フィルム１１２へのヒートシール層１２１の形成工程と、印刷層１１３を形成する工程が別工程であるために、また、ヒートシール層１２１の形成後にエンボス加工を行うために、コスト高となると云う問題がある。
また、印刷層１１３が基材フィルム１１２の表面側に形成されるので、そのままでは擦れ等により外観が損なわれる虞があるため、通常、図３にあるように保護層１１８が必要となる。
【０００８】
また、図４に示したようなインモールドラベルは、印刷層１１３がグラビア印刷によって形成されるが、基材フィルム１１２は通常、広幅なロールで供給され、大型な機械で一度に大量に印刷されるため、また、製版代が高いため、小ロットの場合にはラベル単価が高くなり、小ロット生産には不向きである。
また、印刷層１１３が形成された基材フィルム１１２と接着層１１５とをドライラミネート法により貼り合わせるが、この場合も大型な機械で大量に処理されるため、小ロット生産には不向きである。
また、印刷層１１３を形成する工程と、ドライラミネート層１２０を介し、基材フィルム１１２と接着層１１５とを貼り合わせる工程を別工程で実施する必要があり、コスト高となると云う問題がある。
また、ドライラミネートを硬化させるエージング工程に通常２日間以上を必要とするため、短納期対応が困難である。
【０００９】
そこで、本発明は上記のようなインモールドラベルについて、基材フィルムへの印刷層を形成する工程と、基材フィルムへの接着層を積層する工程とを短時間でかつ、一貫ラインでも実施可能で、小ロットでも低単価で実施可能な層構成を創出することを技術的課題とするものであり、貼着する合成樹脂成形品や使用目的に応じて基材フィルム、接着層の材質、厚さ、特性等を適宜選択でき、最適な合成樹脂製成形品用のインモールドラベルを供給することを目的とする。
【課題を解決するための手段】
【００１０】
上記技術的課題を解決する手段に係る本発明の主たる構成は、
インモールド成形により合成樹脂成形品の成形と同時に成形品の表面に貼付されるラベルであって、
基材フィルムの一方の面にフレキソ印刷法で印刷層を形成し、
さらに基材フィルムの裏面側に、ラベルの被貼着体である合成樹脂成形品に熱溶着可能な合成樹脂をフレキソ印刷法で被覆して接着層とする、と云うものである。
【００１１】
フレキソ印刷は凸版印刷の一種で柔軟（フレキシブル）な弾性のある版（樹脂とゴム版）を使用するもので、合成樹脂フィルム等への印刷性に優れ、また輪転印刷方式なので、合成樹脂を被覆して接着層を形成する工程と容易に連続化することができる。
【００１２】
上記構成の特徴は、基材フィルムの一方の面にフレキソ印刷法で印刷層を形成すると共に基材フィルムの裏面側に、ラベルの被貼着体である合成樹脂成形品に熱溶着可能な合成樹脂をフレキソ印刷法で被覆して接着層とした点にある。
そして、上記構成によれば、インモールドラベルの製造において基材フィルムの
一方の面にフレキソ印刷法で印刷層を形成する工程と、さらに基材フィルムの裏面側に合成樹脂をフレキソ印刷法で被覆して接着層を積層する工程とを次の（１）、（２）に記載した工程に沿って、短時間で、一貫ラインで実施することが可能となり、被貼着体である合成樹脂成形品や、その使用目的に応じて基材フィルムや接着層を形成する合成樹脂を適宜選択することができ、その後、所定のラベル形状に打抜き加工することにより、小ロットでも低単価でのラベルの生産が可能となる。
（１）基材フィルムの一方の面にフレキソ印刷法で印刷層を形成する。
（２）基材フィルムの裏面側に合成樹脂をフレキソ印刷法で被覆して接着層とする。
【００１３】
そして、上記工程により製造されたラベルをインサート材として予め成形金型にセットした状態で、ブロー成形、射出成形、熱成形等の成形により合成樹脂成形品を成形することにより、この成形と同時に、接着層を介して熱溶着により、ラベルが成形品の表面に強固に、また高品位に貼着される。
【００１４】
なお、印刷層は基材フィルムの表面側または裏面側、あるいはその双方に形成することができるが、印刷層を裏面側に形成する場合には透明性を有する基材フィルムを使用する。また表面側に形成する場合には不透明な基材フィルムも使用することができる。
ここで、上記構成、あるいは説明で基材フィルムの表面側、裏面側と云う語句を使用しているが、表面側、裏面側の区別はラベルの成形品に貼付される側を裏面側、その反対側を表面側と定義して使用するものである。
【００１５】
また、基材フィルムとして、フィルムの印刷面側に予めコロナ放電処理やフレームプラズマ処理等の表面改質を行って印刷適性を向上させたフィルムを選択できる。
また、インモールド成形においてラベルを１枚毎スムーズに金型内へセットできるようにするために、あるいは静電気によるラベル表面への埃等の付着を防止するために、基材フィルムに帯電防止剤を分散しておくことが好ましく、これにより特に帯電防止剤層を塗布することなく静電気の帯電を効果的に抑制することが可能となる。
【００１６】
接着層を形成する合成樹脂としては、インモールド成形の、たとえばブロー成形ではパリソンの熱で溶融し、合成樹脂成形品に貼着する機能を有するものであれば良く、例えば、次のような多様な合成樹脂のなかから単独、または複数を選択して使用することができる。
（１）一般的な合成樹脂
低密度ポリエチレン、中密度ポリエチレン、高密度ポリエチレン、線状低密度ポリエチレン、ポリプロピレン、アイオノマー樹脂、チレン・プロピレン共重合体、酸変性ポリオレフィン樹脂、熱可塑性ポリエステル系樹脂、熱可塑性ポリアミド系樹脂
（２）ホットメルトタイプの合成樹脂
エチレン・酢酸ビニル共重合体、エチレン・アクリル酸共重合体、エチレン・アクリル酸メチル共重合体、エチレン・アクリル酸エチル共重合体、エチレン・アクリル酸ブチル共重合体、エチレン・メタクリル酸メチル共重合体、エチレン・メタクリル酸共重合体の金属塩
（３）感熱接着剤タイプの合成樹脂
酢酸ビニル・エチレン共重合体エマルジョン、エチレン・アクリル酸共重合体エマルジョン
また、合成樹脂を被覆して接着層を形成する方法としては、溶融樹脂をコーティングする方法と、合成樹脂を有機溶媒等で希釈した溶液をコーティングする方法などがある。
【００１７】
また、基材フィルムまたは印刷層と、接着層との間の接着をより強固にするためにフレキソ印刷によって形成されるアンカー層が設けられても良い。アンカー剤としては、例えばポリエチレンイミン、ポリエーテルポリオール・ポリイソシアネート、ポリエステルポリオール・ポリイソシアネート等を水や有機溶剤で希釈したものが使用される。
【００１８】
本発明の他の構成は上記主たる構成において、透明性を有する基材フィルムの裏面側に印刷層を形成し、さらにこの印刷層の形成された基材フィルムの裏面側に、ラベルの被貼着体である合成樹脂成形品に熱溶着可能な合成樹脂をフレキソ印刷法により被覆して接着層とする、と云うものである。
【００１９】
上記構成において基材フィルムは、透明性を有するため、印刷層による文字、図案、あるいは模様は基材フィルムを透して外部に現出される。また、基材フィルムは印刷層を保護する保護層としての機能を発揮し、保護層を付加積層することなく、印刷層の擦れ等よる毀損を効果的に防止することができる。
【００２０】
本発明のさらに他の構成は上記主たる構成において、接着層をエンボスパターンに形成する、と云うものである。
【００２１】
接着層をフレキソ印刷でエンボスパターンに印刷し、形成することにより、ラベルの金型への供給が一枚一枚確実に行われ、さらにブロー成形時に溶融パリソンがラベルと熱圧着する際にラベルと溶融パリソンとの間の空気が容易に抜けるため、ブリスターの発生により外観を損ねることが無い。
接着層のエンボスパターンを印刷工程で形成できるため、接着層にエンボス加工を施したり、エンボス加工された接着層を積層したりする必要が無い。
エンボスパターンには格子柄、ドット柄等が適宜選択でき、目的のパターンを形成するように版を作製する。エンボスパターンの形状、厚さ、幅、線数、ピッチ等は、ラベルの供給適性、ブリスターの発生状況により適宜選択できる。
【発明の効果】
【００２２】
本発明は、上記した構成となっているので、以下に示す効果を奏する。
すなわち、本発明の主たる構成を有するインモールドラベルの特徴は、基材フィルムの一方の面にフレキソ印刷法で印刷層を形成すると共に基材フィルムの裏面側に、ラベルの被貼着体である合成樹脂成形品に熱溶着可能な合成樹脂をフレキソ印刷法で被覆して接着層とした点にあり、
基材フィルムの一方の面に印刷層を形成する工程と、さらに裏面側に合成樹脂を被覆して接着層とする工程の２つの工程の後、所定のラベル形状に打抜き加工することにより、短時間で、一貫ラインでラベルを製造することができるので、小ロットでも低単価で製造可能で、また貼着する合成樹脂成形品や使用目的に応じて基材フィルムや接着層を形成する合成樹脂を適宜選択することができ、最適なインモールドラベルを提供することができる。
【図面の簡単な説明】
【００２３】
【図１】本発明のラベルの一実施例の層構成を示す断面図である。
【図２】図１のラベルを壜体の胴部に貼着した例を示す正面図である。
【図３】従来のラベルの層構成の例を示す断面図である。
【図４】従来のラベルの層構成の他の例を示す断面図である。
【発明を実施するための形態】
【００２４】
以下、本発明の実施形態を、実施例に沿って図面を参照しながら説明する。
図１は本発明のインモールドラベルの一実施例の層構成を示す断面図である。また、図２はこのラベル１をポリエチレン（ＰＥ）樹脂製のブロー成形壜体１の胴部２に貼付した例を示す正面図である。
【００２５】
本実施例のラベル１１の層構成は図１に示されるようなものであり、基材フィルム１２／印刷層１３／接着層１５の３つ層から構成されている。
基材フィルム１２はポリプロピレン（ＰＰ）樹脂製キャストフィルム（以下、ＣＰＰフィルムと略記する。）から成る厚さが５０ミクロンの透明性のフィルムで裏面側にはコロナ放電処理が施されている。
また、印刷層１３はフレキソ印刷によるもので、接着層１５は、エチレン・酢酸ビニル共重合体を含有する溶液をフレキソ印刷にて印刷し、乾燥・固化させ、形成する。接着層１５は、線径１ｍｍ、間隔０．５ｍｍ、厚さ０．０１ｍｍの正方形格子状のエンボスパターンで形成される。このエチレン・酢酸ビニル共重合体を含有する溶液を乾燥・固化させた樹脂はＰＥ樹脂製の壜体１に熱溶着する。
【００２６】
そして、印刷層１３により図２で見られる「ＳＨＡＭＰＯＯ」と云う文字が現出される。また、基材フィルム１２は印刷層１３の保護層としての機能も発揮する。
なお、静電気によるラベル間の密着を防ぎ、インモールド成形においてラベルを１枚毎スムーズに金型内へセットできるようにするため、さらにはラベル表面への埃付きを防止するため、静電気の帯電を抑制する目的で帯電防止剤を分散したＣＰＰフィルムを基材フィルム１２として使用している。
【００２７】
ここで、このラベル１１は次の（１）〜（３）に記載した工程により一貫ラインで製造したものである。
（１）フレキソ印刷機によりロール状から繰り出した基材フィルム１２の裏面側にＵＶ硬化型インキを使用し、文字等を印刷し、次いでＵＶ照射によりＵＶ硬化型インキを硬化させ、印刷層１３を形成する。
（２）次いで、エチレン・酢酸ビニル共重合体を含有する溶液を、線径１ｍｍ、間隔０．５ｍｍ、谷の深さ０．０１ｍｍの正方形格子状のエンボスパターンを形成するようにフレキソ印刷にて印刷し、乾燥・固化させる。
（３）フレキソ印刷上に設置したダイカットロールにて矩形状に打抜き加工し、集積する。
【００２８】
本実施例のようにフレキソ印刷機を使用する場合、基材フィルム１２へ印刷層１３を形成する工程や、接着層１５となる合成樹脂を被覆する工程は勿論のこと、他の工程の追加、変更が簡単にでき、さらに打抜き加工ユニットを該印刷機に導入することにより、打抜き加工工程まで一貫ラインにて実施可能となる。
なお、後述するインモールド成形によるラベル１１の貼付におけるエア溜り防止をより確実にするため、上記（２）と（３）の工程の間でラベル１１に多数の刃を取り付けたロール等で貫通するスリットを設ける工程を設けても良い。
フレキソ印刷機上にラベル１１にスリットを設ける装置を設置することにより、一貫ラインにてスリット付きラベルを製造することができる。
【００２９】
そして、図２に示した壜体１をブロー成形する際には、インモールド材としてラベル１１を予めブロー成形のための金型内にセットして壜体１をブロー成形することにより、この成形と同時に、ラベル１１を壜体１の胴部２の表面に貼着することができる。
ここで、ラベル１１の接着層１５はエチレン・酢酸ビニル共重合体を含む樹脂から成り、上記したインモールド成形工程によりＰＥ樹脂製の壜体１の胴部２の表面に熱溶着状に接着し、ラベル１１はこの接着層１５を介して胴部２の表面に強固に、また高品位に貼着される。
また、接着層１５はエンボスパターンで形成されているため、ラベルの金型への供給が一枚一枚確実に行われ、さらにブロー成形時に溶融パリソンがラベルと熱圧着する際にラベルと溶融パリソンとの間の空気が容易に抜けるため、ブリスターの発生により外観を損ねることが無い。
【００３０】
以上、実施例に沿って本発明の構成とその作用効果を説明したが、本発明のインモールドラベルはこれら実施例に限定されるものではない。
たとえば、本発明のラベルはブロー成形によるＰＥ樹脂製の合成樹脂成形品に限らず、様々な成形法による様々な合成樹脂製の成形品に利用することができる。
【００３１】
また、接着層に使用する合成樹脂は、被貼着体となる成形品の材質、すなわち成形品との熱溶着性の他にも基材フィルムとの接着性等を考慮して適宜選択することができる。
【産業上の利用可能性】
【００３２】
以上説明したように、本発明のインモールドラベルは一貫ラインで、短時間で製造でき、従来に比較して小ロットでも低単価で製造可能であり、貼着する合成樹脂成形品や使用目的に応じて基材フィルムや接着層を形成する合成樹脂を適宜選択することができるため、最適なインモールドラベルを提供することができ、ブロー成形壜体等の合成樹脂成形品の分野での幅広い利用展開が期待される。
【符号の説明】
【００３３】
１  ；壜体
２  ；胴部
１１、１１１；ラベル
１２、１１２；基材フィルム
１３、１１３；印刷層
１５、１１５；接着層
１１４；接着剤層
１１８；保護層
１１９；帯電防止剤層
１２０；ドライラミネート層
１２１；ヒートシール層
【図１】
2011095517.tif 000003
【図２】
2011095517.tif 000004
【図３】
2011095517.tif 000005
【図４】
2011095517.tif 000006